(57)【特許請求の範囲】
【請求項１】
所定数以上の広告情報の登録を受け付け、ユーザー端末から受信した端末識別情報及び商品識別情報に基づいて当該ユーザー端末に表示されている商品情報ページに商品の広告情報を少なくとも一つ掲載する広告掲載装置と通信自在な情報提供装置であって、
商品情報ページを有する複数のＥＣサイトからの広告掲載の申し込みを受けて、商品毎の商品識別情報を発行し、商品の広告情報に含めて記憶する受付手段と、
通信先のユーザー端末の端末識別情報と、該ユーザー端末に表示された商品の商品識別情報とを検知して前記広告掲載装置に送信する機能を有するタグ情報を、前記広告掲載の申し込みを受け付けた前記商品情報ページに、前記発行された商品識別情報とともに埋め込むタグ埋込手段と、
前記申し込みを受け付けた複数のＥＣサイトにわたる商品の広告情報の数を集計し、集計した商品の広告情報が前記所定数以上となった場合に、前記所定数以上分の商品の広告情報に対して、該商品の申し込みに関する所定のページへのリンクを付与するように前記広告掲載装置に指示を与えるとともに、当該所定数以上分の商品の広告情報を前記広告掲載装置にまとめて登録する登録手段と、を備えることを特徴とする情報提供装置。
【請求項２】
請求項１記載の情報提供装置において、
前記広告掲載装置によって前記ユーザー端末に表示された商品の類似商品の広告が表示され、当該類似商品の広告が選択されることによって、前記所定ページの表示を検知した場合には、前記所定ページ上に前記類似商品の申し込み欄と、前記対象商品の申し込み欄とを表示させることを特徴とする情報提供装置。
【請求項３】
請求項１又は２記載の情報提供装置において、
前記広告掲載装置は、前記商品識別情報に対応付けられた商品を取り扱うＥＣサイトで取り扱われている商品から類似商品を検索することを特徴とする情報提供装置。
【請求項４】
請求項１〜３のいずれか一項に記載の情報提供装置において、
前記商品は不動産であり、
前記商品の申し込みに関する所定ページとは前記不動産の資料請求の注文ページであることを特徴とする情報提供装置。
【請求項５】
請求項１〜４のいずれか一項に記載の情報提供装置において、
前記所定のページへのリンクが付与されて前記ユーザー端末に表示された前記広告が選択されたことにより前記所定ページの表示を検知した場合に、前記ＥＣサイトに課金する課金手段を有することを特徴とする情報提供装置。
【請求項６】
請求項５記載の情報提供装置において、
前記課金手段は、
前記所定ページを介して前記商品の申し込みが行われた場合に、前記ＥＣサイトに課金することを特徴とする情報提供装置。
【請求項７】
所定数以上の広告情報の登録を受け付け、ユーザー端末から受信した端末識別情報及び商品識別情報に基づいて当該ユーザー端末に表示されている商品情報ページに商品の広告情報を少なくとも一つ掲載する広告掲載装置と、前記広告掲載装置にネットワークを介して通信自在に接続された情報提供装置とを有する情報提供システムにおいて、
前記情報提供装置は、
商品情報ページを有する複数のＥＣサイトからの広告掲載の申し込みを受けて、商品毎の商品識別情報を発行し、商品の広告情報に含めて記憶する受付手段と、
通信先のユーザー端末の端末識別情報と、該ユーザー端末に表示された商品の商品識別情報とを検知して前記広告掲載装置に送信する機能を有するタグ情報を、前記広告掲載の申し込みを受け付けた前記商品情報ページに、前記発行された商品識別情報とともに埋め込むタグ埋込手段と、
前記申し込みを受け付けた複数のＥＣサイトにわたる商品の広告情報の数を集計し、集計した商品の広告情報が前記所定数以上となった場合に、前記所定数以上分の商品の広告情報に対して、該商品の申し込みに関する所定のページへのリンクを付与するように前記広告掲載装置に指示を与えるとともに、当該所定数以上分の商品の広告情報を前記広告掲載装置にまとめて登録する登録手段と、を備えることを特徴とする情報提供システム。
【請求項８】
所定数以上の広告情報の登録を受け付け、ユーザー端末から受信した端末識別情報及び商品識別情報に基づいて当該ユーザー端末に表示されている商品情報ページに商品の広告情報を少なくとも一つ掲載する広告掲載装置と通信する情報提供方法であって、
商品情報ページを有する複数のＥＣサイトからの広告掲載の申し込みを受けて、商品毎の商品識別情報を発行し、商品の広告情報に含めて記憶する受付ステップと、
通信先のユーザー端末の端末識別情報と、該ユーザー端末に表示された商品の商品識別情報とを検知して前記広告掲載装置に送信する機能を有するタグ情報を、前記広告掲載の申し込みを受け付けた前記商品情報ページに、前記発行された商品識別情報とともに埋め込むタグ埋込ステップと、
前記申し込みを受け付けた複数のＥＣサイトにわたる商品の広告情報の数を集計し、集計した商品の広告情報が前記所定数以上となった場合に、前記所定数以上分の商品の広告情報に対して、該商品の申し込みに関する所定のページへのリンクを付与するように前記広告掲載装置に指示を与えるとともに、当該所定数以上分の商品の広告情報を前記広告掲載装置にまとめて登録する登録ステップと、を含むことを特徴とする情報提供方法。
【請求項９】
所定数以上の広告情報の登録を受け付け、ユーザー端末から受信した端末識別情報及び商品識別情報に基づいて当該ユーザー端末に表示されている商品情報ページに商品の広告情報を少なくとも一つ掲載する広告掲載装置と通信自在なコンピュータを、
商品情報ページを有する複数のＥＣサイトからの広告掲載の申し込みを受けて、商品毎の商品識別情報を発行し、商品の広告情報に含めて記憶する受付手段と、
通信先のユーザー端末の端末識別情報と、該ユーザー端末に表示された商品の商品識別情報とを検知して前記広告掲載装置に送信する機能を有するタグ情報を、前記広告掲載の申し込みを受け付けた前記商品情報ページに、前記発行された商品識別情報とともに埋め込むタグ埋込手段と、
前記申し込みを受け付けた複数のＥＣサイトにわたる商品の広告情報の数を集計し、集計した商品の広告情報が前記所定数以上となった場合に、前記所定数以上分の商品の広告情報に対して、該商品の申し込みに関する所定のページへのリンクを付与するように前記広告掲載装置に指示を与えるとともに、当該所定数以上分の商品の広告情報を前記広告掲載装置にまとめて登録する登録手段として機能させることを特徴とするプログラム。
【発明の詳細な説明】
【技術分野】
【０００１】
本発明は、情報提供装置、情報提供システム、情報提供方法及びプログラムに関する。
【背景技術】
【０００２】
従来、ユーザーが過去に閲覧したＷｅｂページに関連する広告を提供するターゲティングの手法としては、例えばユーザーの閲覧履歴を収集・分析し、その分析結果に基づいてユーザーに対して新たな広告を提供する手法が知られている（例えば特許文献１参照）。
しかしながら、閲覧履歴から推定し嗜好に基づいた広告を掲載するため、ユーザーの広告へのアクセス（リーチ）の確率が閲覧履歴の分析精度に影響した。
これに対し、近年においては、ユーザーが閲覧した商品を扱うＥＣサイトの類似商品を掲載して、ＥＣサイトにユーザーを誘導するリターゲティング広告の技術が開発されている。このリターゲティング広告によれば、ユーザーが過去に閲覧した商品や、類似商品が掲載されるため、広告へのアクセスの確率が高くなる。
【先行技術文献】
【特許文献】
【０００３】
【特許文献１】特開２０１３−７７１１９号公報
【発明の概要】
【発明が解決しようとする課題】
【０００４】
ところで、上述したリターゲティング広告を用いた広告掲載サービスでは、ユーザーが過去に閲覧した商品だけでなく、この商品と類似性の高い商品が様々掲載されることで、ユーザーの興味を惹き付け、ＥＣサイトにユーザーを再度誘導することができる。そのためには、掲載する対象の商品数がある程度必要となり、リターゲティングの精度向上のために、所定数（例えば１００）以上の商品を取り扱っているＥＣサイトが対象となる。そのため、所定数以上の商品を取り扱っていないＥＣサイトでは、前記広告掲載サービスを使用できなかった。
【０００５】
そこで、本発明の課題は、総取り扱い商品数が所定数未満のＥＣサイトに対しても、リターゲティング広告を用いた広告掲載サービスを使用可能とすることである。
【課題を解決するための手段】
【０００６】
以上の課題を解決するため、請求項１記載の発明は、
所定数以上の広告情報の登録を受け付け、ユーザー端末から受信した端末識別情報及び商品識別情報に基づいて当該ユーザー端末に表示されている商品情報ページに商品の広告情報を少なくとも一つ掲載する広告掲載装置と通信自在な情報提供装置であって、
商品情報ページを有する複数のＥＣサイトからの広告掲載の申し込みを受けて、商品毎の商品識別情報を発行し、商品の広告情報に含めて記憶する受付手段と、
通信先のユーザー端末の端末識別情報と、該ユーザー端末に表示された商品の商品識別情報とを検知して前記広告掲載装置に送信する機能を有するタグ情報を、前記広告掲載の申し込みを受け付けた前記商品情報ページに、前記発行された商品識別情報とともに埋め込むタグ埋込手段と、
前記申し込みを受け付けた複数のＥＣサイトにわたる商品の広告情報の数を集計し、集計した商品の広告情報が前記所定数以上となった場合に、前記所定数以上分の商品の広告情報に対して、該商品の申し込みに関する所定のページへのリンクを付与するように前記広告掲載装置に指示を与えるとともに、当該所定数以上分の商品の広告情報を前記広告掲載装置にまとめて登録する登録手段と、を備えることを特徴としている。
【０００７】
請求項２記載の発明は、請求項１記載の情報提供装置において、
前記広告掲載装置によって前記ユーザー端末に表示された商品の類似商品の広告が表示され、当該類似商品の広告が選択されることによって、前記所定ページの表示を検知した場合には、前記所定ページ上に前記類似商品の申し込み欄と、前記対象商品の申し込み欄とを表示させることを特徴としている。
【０００８】
請求項３記載の発明は、請求項１又は２記載の情報提供装置において、
前記広告掲載装置は、前記商品識別情報に対応付けられた商品を取り扱うＥＣサイトで取り扱われている商品から類似商品を検索することを特徴としている。
【０００９】
請求項４記載の発明は、請求項１〜３のいずれか一項に記載の情報提供装置において、
前記商品は不動産であり、
前記商品の申し込みに関する所定ページとは前記不動産の資料請求の注文ページであることを特徴としている。
【００１０】
請求項５記載の発明は、請求項１〜４のいずれか一項に記載の情報提供装置において、
前記所定のページへのリンクが付与されて前記ユーザー端末に表示された前記広告が選択されたことにより前記所定ページの表示を検知した場合に、前記ＥＣサイトに課金する課金手段を有することを特徴としている。
【００１１】
請求項６記載の発明は、請求項５記載の情報提供装置において、
前記課金手段は、
前記所定ページを介して前記商品の申し込みが行われた場合に、前記ＥＣサイトに課金することを特徴としている。
【００１２】
請求項７記載の発明は、
所定数以上の広告情報の登録を受け付け、ユーザー端末から受信した端末識別情報及び商品識別情報に基づいて当該ユーザー端末に表示されている商品情報ページに商品の広告情報を少なくとも一つ掲載する広告掲載装置と、前記広告掲載装置にネットワークを介して通信自在に接続された情報提供装置とを有する情報提供システムにおいて、
前記情報提供装置は、
商品情報ページを有する複数のＥＣサイトからの広告掲載の申し込みを受けて、商品毎の商品識別情報を発行し、商品の広告情報に含めて記憶する受付手段と、
通信先のユーザー端末の端末識別情報と、該ユーザー端末に表示された商品の商品識別情報とを検知して前記広告掲載装置に送信する機能を有するタグ情報を、前記広告掲載の申し込みを受け付けた前記商品情報ページに、前記発行された商品識別情報とともに埋め込むタグ埋込手段と、
前記申し込みを受け付けた複数のＥＣサイトにわたる商品の広告情報の数を集計し、集計した商品の広告情報が前記所定数以上となった場合に、前記所定数以上分の商品の広告情報に対して、該商品の申し込みに関する所定のページへのリンクを付与するように前記広告掲載装置に指示を与えるとともに、当該所定数以上分の商品の広告情報を前記広告掲載装置にまとめて登録する登録手段と、を備えることを特徴としている。
【００１３】
請求項８記載の発明は、
所定数以上の広告情報の登録を受け付け、ユーザー端末から受信した端末識別情報及び商品識別情報に基づいて当該ユーザー端末に表示されている商品情報ページに商品の広告情報を少なくとも一つ掲載する広告掲載装置と通信する情報提供方法であって、
商品情報ページを有する複数のＥＣサイトからの広告掲載の申し込みを受けて、商品毎の商品識別情報を発行し、商品の広告情報に含めて記憶する受付ステップと、
通信先のユーザー端末の端末識別情報と、該ユーザー端末に表示された商品の商品識別情報とを検知して前記広告掲載装置に送信する機能を有するタグ情報を、前記広告掲載の申し込みを受け付けた前記商品情報ページに、前記発行された商品識別情報とともに埋め込むタグ埋込ステップと、
前記申し込みを受け付けた複数のＥＣサイトにわたる商品の広告情報の数を集計し、集計した商品の広告情報が前記所定数以上となった場合に、前記所定数以上分の商品の広告情報に対して、該商品の申し込みに関する所定のページへのリンクを付与するように前記広告掲載装置に指示を与えるとともに、当該所定数以上分の商品の広告情報を前記広告掲載装置にまとめて登録する登録ステップと、を含むことを特徴としている。
【００１４】
請求項９記載の発明に係るプログラムは、
所定数以上の広告情報の登録を受け付け、ユーザー端末から受信した端末識別情報及び商品識別情報に基づいて当該ユーザー端末に表示されている商品情報ページに商品の広告情報を少なくとも一つ掲載する広告掲載装置と通信自在なコンピュータを、
商品情報ページを有する複数のＥＣサイトからの広告掲載の申し込みを受けて、商品毎の商品識別情報を発行し、商品の広告情報に含めて記憶する受付手段と、
通信先のユーザー端末の端末識別情報と、該ユーザー端末に表示された商品の商品識別情報とを検知して前記広告掲載装置に送信する機能を有するタグ情報を、前記広告掲載の申し込みを受け付けた前記商品情報ページに、前記発行された商品識別情報とともに埋め込むタグ埋込手段と、
前記申し込みを受け付けた複数のＥＣサイトにわたる商品の広告情報の数を集計し、集計した商品の広告情報が前記所定数以上となった場合に、前記所定数以上分の商品の広告情報に対して、該商品の申し込みに関する所定のページへのリンクを付与するように前記広告掲載装置に指示を与えるとともに、当該所定数以上分の商品の広告情報を前記広告掲載装置にまとめて登録する登録手段として機能させることを特徴としている。
【発明の効果】
【００１５】
本発明によれば、総取り扱い商品数が所定数未満のＥＣサイトに対しても、リターゲティング広告を用いた広告掲載サービスを使用することができる。
【図面の簡単な説明】
【００１６】
【図１】本実施形態に係るネットワークシステムの概略構成を示すブロック図である。
【図２】本実施形態に係るサーバ装置の概略構成を示すブロック図である。
【図３】本実施形態に係る注文ページの概略を示す概略図である。
【図４】本実施形態に係るトップページの一例を模式的に示す説明図である。
【図５】本実施形態に係る広告掲載枠を拡大して示す説明図である。
【図６】本実施形態に係る広告表示処理の流れを示すフローチャートである。
【図７】本実施形態に係る各不動産情報提供サイトが取り扱う不動産を簡易的に示した説明図である。
【図８】図３の注文ページの変形例を示す概略図である。
【発明を実施するための形態】
【００１７】
以下に本発明の実施形態につき図面を参照して説明する。以下は本発明の一実施形態であって本発明を限定するものではない。
【００１８】
以下、図面を参照しながら、この発明の一実施形態について詳しく説明する。
［１−１．システム構成の説明］
まず、本実施形態に係るネットワークシステム１００の構成について説明する。
図１は本実施形態に係るネットワークシステム１００の概略構成を示すブロック図である。
ネットワークシステム１００は、本発明に係る情報提供システムであり、図１に示すように、情報提供装置としてのサーバ装置１と、複数の基地局２と、複数の端末機器３と、複数のＥＣサイトのＥＣサイトサーバ装置４と、広告掲載装置としての広告掲載用サーバ装置５と、を備えて構成されている。このネットワークシステム１００において、各サーバ装置１，４，５と基地局２とは、通信ネットワークＮにより相互に通信自在に接続されている。通信ネットワークＮは、具体的には、インターネットや電気通信事業者等の電話回線網や携帯電話通信網等である。
【００１９】
サーバ装置１，４，５は、例えば、ＰＣ、ＷＳ（Work Station）等の情報機器であり、端末機器３からのアクセスに応じて所定の動作を行う。
【００２０】
基地局２は、携帯電話通信網などにおける無線基地局であり、端末機器３と通信ネットワークＮとの間のデータ通信を中継する。このため、ネットワークシステム１００では、サーバ装置１と端末機器３とが、互いに通信可能に接続されている。
【００２１】
端末機器３は、パソコン、スマートフォンやタブレットなどのスマートデバイス、携帯電話機等の各ユーザーが所持して使用する端末機器である。また、端末機器３は、通信ネットワークＮ（具体的には、端末機器の通信回線や無線ＬＡＮ（Local Area Network）等）を用いて、各サーバ装置１，４，５との間で相互に通信を行う。
【００２２】
［１−２．端末機器の構成の説明］
次に、端末機器３の構成について、簡潔に説明する。
端末機器３は、本発明に係るユーザ端末であり、特に図示はしないが、制御部、操作部、表示部、記憶部、通信部を備えて構成されている。
制御部は、ＣＰＵ、ＲＯＭ、ＲＡＭなどを備えて構成され、ＲＡＭの作業領域に展開されたＲＯＭや記憶部に記憶されたプログラムデータとＣＰＵとの協働により、端末機器３の各部を統括制御する。
【００２３】
操作部は、例えば、各種機能に対応付けられたキーなどを有するキー入力部を備え、ユーザーからの操作入力を受け付けて、操作入力に応じた操作信号を制御部へと出力する。なお、操作部は、例えば、表示部と一体的に形成されたタッチパネルなどや、マウス等のポインティングデバイスであってもよい。
表示部は、例えば、ＬＣＤ、有機ＥＬ（Electro Luminescence）素子を用いたＦＰＤ（Flat Panel Display）などのディスプレイを備え、制御部から出力された表示制御信号に基づいた画像を表示画面に表示する。
【００２４】
記憶部は、例えば、ＨＤＤ、半導体メモリなどにより構成され、プログラムデータや各種設定データ等のデータを制御部から読み書き可能に記憶する。
通信部は、アンテナや通信回路を備え、制御部による制御の下で外部機器との間の無線通信を行う。具体的には、通信部は、基地局２で中継されることで、通信ネットワークＮを介してデータ通信を行う。
【００２５】
［１−３．サーバ装置の構成の説明］
次に、サーバ装置１の構成について、詳細に説明する。
図２はサーバ装置１の主制御構成を示すブロック図である。
サーバ装置１は、Ｗｅｂページを各端末機器３に配信するものであり、図２に示すように、制御部１１と、操作部１２と、表示部１３と、記憶部１４と、通信部１５と、を備えて構成されている。
制御部１１は、サーバ装置１の動作を中央制御する。具体的には、制御部１１は、ＣＰＵ、ＲＯＭ、ＲＡＭなどを備えて構成され、ＲＡＭの作業領域に展開されたＲＯＭや記憶部１４に記憶されたプログラムデータとＣＰＵとの協働により、サーバ装置１の各部を統括制御する。
【００２６】
操作部１２は、例えば、文字入力キー、数字入力キー、その他各種機能に対応付けられたキーなどを有するキーボード、マウス等のポインティングデバイスなどを備え、ユーザーからの操作入力を受け付けて、操作入力に応じた操作信号を制御部１１へと出力する。
【００２７】
表示部１３は、例えば、ＣＲＴ（Cathode Ray Tube）やＬＣＤ（Liquid Crystal Display）などのディスプレイを備え、制御部１１から出力された表示制御信号に基づいた画像を表示画面に表示する。
【００２８】
記憶部１４は、例えば、ＨＤＤ（Hard disk drive）、半導体メモリなどにより構成さ
れ、プログラムデータや各種設定データ等のデータを制御部１１から読み書き可能に記憶する。また、記憶部１４には、サイトを構成する各Ｗｅｂページの情報が記憶されている。各Ｗｅｂページには、サイトのトップページや、トップページにリンクが付与された各コンテンツのページ群等が含まれている。
【００２９】
通信部１５は、通信用ＩＣ（Integrated Circuit）及び通信コネクタなどを有する通信インターフェイスであり、制御部１１の制御の下、所定の通信プロトコルを用いて通信ネットワークＮを介したデータ通信を行う。
【００３０】
なお、ＥＣサイトサーバ装置４及び広告掲載用サーバ装置５も基本的にサーバ装置１と同じ構成である。そのため、符号の二桁目を「４」としたものをＥＣサイトサーバ装置４の各部とし、符号の二桁目を「５」としたものを広告掲載用サーバ装置５の各部として、その説明は省略する。
【００３１】
ＥＣサイトサーバ装置４は、ＥＣサイトの運営に用いられるサーバ装置である。本実施形態ではＥＣサイトの一例として不動産情報提供サイトを例示して説明する。
ＥＣサイトの記憶部４４には、不動産情報提供サイトを構成する各Ｗｅｂページの情報が記憶されている。各Ｗｅｂページには、不動産情報提供サイトのトップページや、トップページにリンクが付与された各コンテンツのページ群等が含まれている。ページ群には、不動産情報提供サイトで取り扱う商品（不動産）の商品情報を示す商品情報ページと、商品情報ページ内にリンクが付与され、不動産の資料請求が行われる資料請求ページとが含まれている。商品情報とは、例えば、不動産の名称、住所、価格、画像、物件ＩＤ等である。
【００３２】
商品情報ページは、不動産情報提供サイトで取り扱う物件数に対応して複数設けられている。商品情報ページのうち、後述する広告掲載サービスへの掲載が申し込まれた商品の商品情報ページに対しては、当該商品情報ページに記載されている商品を識別するための商品識別情報（例えば物件ＩＤ）がタグ情報とともに予め埋め込まれている。また、タグ情報には、通信先の該端末機器３が固有の端末識別情報を発行するｃｏｏｋｉｅを読み取る機能が含まれている。
【００３３】
このタグ情報は、例えば、Ｊａｖａ（登録商標）ｓｃｒｉｐｔ等により記述されるプログラムであり、端末機器３で表示された商品の商品識別情報と、通信先の端末機器３が発行するｃｏｏｋｉｅから検知される端末識別情報とを、広告掲載用サーバ装置５に送信する機能を実現する。
また、タグ情報は、ＥＣサイトの運営者によって、リターゲティングによる追跡の起点とするページに挿入されるが、例えば、ある商品の商品情報として複数ページにより構成されるウェブページのうち、予約申し込みや資料請求申込み等、申し込みが行われるページに挿入されることとしてもよい。これによって、申込みの確度が高かった商品に基づいてリターゲティングができ、広告情報へのアクセスの確率を高めることができる。
【００３４】
広告掲載用サーバ装置５は、端末機器３で表示されるＷｅｂページに対して、リターゲティング広告を用いて広告を掲載する広告掲載サービスの運営に用いられるサーバ装置であり、本発明に係る広告掲載装置である。また、広告掲載用サーバ装置５は、広告掲載サービスに加入しているサイト内の広告掲載枠のモジュールを介して、端末機器３と通信が可能である。この広告掲載枠のモジュールは様々なサイト（広告掲載用サーバ装置５とは異なるドメインのサイト）に設けることができる。
【００３５】
広告掲載用サーバ装置５は、通信先の端末機器３の端末識別情報を検知すると、この端末識別情報に基づいた商品広告を検索して、該端末機器３に掲載させる。
広告掲載用サーバ装置５の記憶部５４には、予め広告掲載サービスに加入しているＥＣサイトの各商品の広告情報が記憶されている。広告情報には、ＥＣサイトの運営者がオススメとした商品を判別するための判別情報が含まれている。
広告掲載用サーバ装置５の制御部５１は、端末機器３がＥＣサイトにアクセスして商品情報ページが表示されると、当該商品情報ページに含まれるタグ情報の機能によって、端末機器３の端末識別情報と商品識別情報とを取得する。そして、制御部５１は、これら識別情報を対応付けて記憶部５４に保存させる。その後、制御部５１は、任意の端末機器３と通信したときに、この通信先の端末機器３の端末識別情報を検知すると、該端末識別情報に基づいて記憶部５４に保存された商品識別情報を検索する。これにより、広告掲載用サーバ装置５は、通信先の端末機器３で過去に表示されたＥＣサイトの商品を掲載することができる。また、検索された商品識別情報に対応した広告情報に基づいて、類似商品を、記憶部５４内の各商品から検索する。
【００３６】
そして、制御部５１は、端末識別情報に基づいて特定した端末機器３で表示されるＷｅｂページに対して、検索された類似商品の広告を掲載する。このとき、検索の対象となった商品識別情報に対応した商品広告は、類似検索によって検索され得るが、該商品広告を予め掲載させることとしてもよい。なお、検索の対象となった商品識別情報に対応した商品広告を含めるか否かは、検索インデックスの構成に応じて適宜設計可能である。
これにより、端末機器３で表示された商品情報ページの対象商品や、当該対象商品に類似する類似商品の広告が、広告掲載枠のモジュールを介して様々なＷｅｂページに対しても掲載されることとなる。別のＷｅｂに表示される広告に対しては、制御部５１は注文ページＰ（後述）へのリンクを付与している。このリンクの付与においては後述するサーバ装置１からの指示に基づいている。
【００３７】
なお、広告掲載用サーバ装置５では、広告情報にある判別情報に基づいて、オススメの商品であるか否かを判断し、オススメの商品に対してはそれが視認できるマークを付して広告を掲載する。
【００３８】
サーバ装置１は、例えばポータルサイトの運営に用いられるサーバ装置である。サーバ装置１の記憶部１４には、ポータルサイト内にある不動産用コンテンツを構成する多数の不動産情報ページの情報が記憶されている。不動産情報ページには、ポータルサイトと提携する複数の不動産情報提供サイトで取り扱う不動産の商品情報が含まれている。この不動産情報ページは、不動産情報提供サイトのＥＣサイトサーバ装置４から通信部１５を介して予め入力されて、記憶部１４に記憶されている。つまり、サーバ装置１の通信部１５が本発明に係る取得手段である。そして、不動産情報ページと、不動産情報提供サイトの商品情報ページとは、物件ＩＤによって関連づけされている。
【００３９】
また、サーバ装置１は、ＥＣサイトと広告掲載サービスとを仲介する仲介サービスの運営にも用いられる。
ここで、サーバ装置１の制御部１１は、広告掲載サービスへの掲載の申し込みをＥＣサイトから受け付けるとその申し込みされた商品の広告情報（広告に関するテキスト情報や画像情報）を、ＥＣサイトから得るとともに、商品を識別可能な物件ＩＤ（商品識別情報）を発行して記憶部１４に記憶させる。つまり、制御部１１及び記憶部１４が本発明に係る受付手段である。
制御部１１は、この受け付けの対象の商品の商品情報ページに対して、タグ情報及び物件ＩＤがともに埋め込まれるように、ＥＣサイトサーバ装置４に指示を与えている。当該指示に基づいて、ＥＣサイトサーバ装置４では、受け付け対象の商品の商品情報ページに対して、タグ情報及び物件ＩＤをともに埋め込む。つまり、制御部１１が本発明に係るタグ埋込手段である。
なお、この商品情報ページに埋め込まれたタグ情報の機能は、サーバ装置１がタグ情報のスクリプトに直接アクセスし遠隔的に設定変更可能である。
また、サーバ装置１が独自に発行する商品識別情報を、広告情報に付与して広告掲載用サーバ装置５に送信（入稿）することで、広告掲載用サーバ装置５が掲載する商品広告を介して、サーバ装置１が有する該商品のページ（申し込みページや注文ページ）に誘導することができる。
【００４０】
また、上述した広告掲載サービスにおいては、総取り扱い商品数が所定数（例えば１００）以上のＥＣサイトを加入条件としている場合が一般的である。このため、仲介サービスでは、総取り扱い商品数が所定数未満のＥＣサイトを複数とりまとめて、所定数以上として一括して広告掲載サービスに加入するようになっている。具体的には、サーバ装置１の制御部１１が、ポータルサイトと提携する複数の不動産情報提供サイトのうち、仲介サービスに申し込んだ不動産情報提供サイトを複数ひとまとめにし、総取り扱い商品数を所定数以上として広告掲載用サーバ装置５に登録する。この登録時においては、制御部１１は、所定数以上分の商品の広告に対して、該商品の注文ページＰ（後述）へのリンクを付与するように広告掲載用サーバ装置５に指示を与えている。つまり、制御部１１が本発明に係る登録手段である。
【００４１】
また、サーバ装置１の記憶部１４には、上述した広告情報や、不動産の資料請求が行われる注文ページＰ（図３参照）の情報が記憶されている。サーバ装置１の制御部１１は、広告掲載用サーバ装置５によって端末機器３に表示された広告がユーザーによって選択されると、当該広告に付与されているリンクに基づいて端末機器３からアクセスを受け付ける。このリンクで指定されるＵＲＬに対応した注文ページＰを記憶部１４から読み出して端末機器３に表示させる。
【００４２】
図３は、注文ページの概略を示す概略図である。
注文ページＰ内には、「選択した物件への資料請求へ」と記載された注文ボタンＰ１が設けられている。注文ボタンＰ１のリンク先は、ユーザーによって選択された商品に対応する不動産情報提供サイトの商品情報ページとなっている。
このとき、注文ボタンＰ１のリンク先の設定が可能であり、例えば注文に必要な情報を入力するためのページをリンク先としてもよいし、不動産情報提供サイトの注文ページをリンク先としてもよい。
注文ボタンＰ１が選択されると、端末機器３の表示内容が不動産情報提供サイトの商品情報ページに遷移して資料請求可能な状態となる。
【００４３】
［２−１．動作の説明］
次に、本実施形態に係るサーバ装置１における情報提供方法の一例について説明する。
サイトのトップページに対して端末機器３からアクセスがあるとサーバ装置１は、当該トップページを構成するデータ（ｈｔｍｌデータ、画像データ、スクリプトデータ等）を記憶部１４から読み出してトップページを構築し、端末機器３に送信する。
【００４４】
図４はトップページ２００の一例を模式的に示す説明図である。
トップページ２００の略中央には、商品の広告を表示する広告掲載枠２０１が設けられている。この広告掲載枠２０１は、前述の広告掲載サービスに連動したスクリプトデータ（広告掲載用サーバ装置５と通信可能なモジュール）が埋め込まれており、その表示内容が広告掲載サービスによって制御されている。
【００４５】
図５は広告掲載枠２０１を拡大して示す説明図である。
この広告掲載枠２０１には、広告掲載用サーバ装置５からの指示に基づいた３つの広告２１１，２１２，２１３が表示されている。具体的には、広告掲載用サーバ装置５は、トップページ２００の表示時に端末機器３から発行された端末識別情報から端末機器３を特定するとともに、端末識別情報に対応付けられた商品識別情報を読み出す。これにより、広告掲載用サーバ装置５は、特定した端末機器３で以前表示された商品を認識する。
そして、広告掲載用サーバ装置５は、読み出した商品識別情報の対象商品の広告２１１と、対象商品に類似する類似商品の広告２１２，２１３とを広告掲載枠２０１に掲載している。
各広告２１１，２１２，２１３には、商品の画像、名称、価格などの広告情報が記載された商品情報欄Ｑ１，Ｑ２，Ｑ３と、そして「詳しく見る」と記載された注文ページ遷移ボタンＶ１，Ｖ２，Ｖ３とが設けられている。この注文ページ遷移ボタンＶ１，Ｖ２，Ｖ３には、商品に対応した物件ＩＤが設定されている。また、広告情報に含まれる判別情報に基づいて判別されたオススメの商品の広告２１１，２１２に対しては、それが視認できるマークＭが付されている。
注文ページ遷移ボタンＶ１，Ｖ２，Ｖ３には、注文ページＰへのリンクが付与されており、この注文ページ遷移ボタンＶ１，Ｖ２，Ｖ３が選択されると、当該ボタンＶ１，Ｖ２，Ｖ３に設定された物件ＩＤに基づいて、該当する商品の注文ページＰに遷移する。
【００４６】
［２−２．広告表示処理の説明］
次に、広告掲載枠２０１における広告表示処理の流れについて説明する。
図６は広告表示処理の流れを示すフローチャートである。
【００４７】
まず、サーバ装置１の制御部１１は、提携している複数の不動産情報提供サイトのＥＣサイトサーバ装置４と通信し、広告掲載サービスへの加入を希望する不動産情報提供サイトから申し込みを受け付けて、申し込みをした不動産情報提供サイトの各ＥＣサイトサーバ装置４に記憶されている各物件の商品情報から広告情報（商品の画像、名称、価格など）を取得する（ステップＳ１）。
受け付け時においては、制御部１１は、受け付けの対象の商品の商品情報ページに対して、タグ情報及び物件ＩＤがともに埋め込まれるように、ＥＣサイトサーバ装置４に指示を与えている。
【００４８】
次いで、サーバ装置１の制御部１１は、物件毎に物件ＩＤを発行して、取得した各物件の広告情報を記憶部１４に記憶させる（ステップＳ２）。なお、以下の説明においては、便宜上、図７に示すように、ポータルサイトの不動産用コンテンツと提携している不動産情報提供サイトは４サイトとし、第一不動産情報提供サイトＡでは総取り扱い商品数が４物件、第二不動産情報提供サイトＢでは総取り扱い商品数が３物件、第三不動産情報提供サイトＣでは総取り扱い商品数が３物件、第四不動産情報提供サイトＤでは総取り扱い商品数が２物件とする。ステップＳ２では、これら４サイトで扱う全ての不動産の広告情報が物件ＩＤとともにサーバ装置１の記憶部１４に記憶される。
【００４９】
次いで、サーバ装置１の制御部１１は、広告掲載サービスに申し込む全ての不動産情報提供サイトの総取り扱い商品数が所定数以上であるか否かを判断し、所定数未満である場合にはステップＳ１に移行し、所定数以上である場合にはステップＳ４に移行する（ステップＳ３）。
具体的に、広告掲載サービスでの加入条件である総取り扱い商品数を１０とすると、広告掲載サービスに申し込む希望者が第一不動産情報提供サイトＡ、第二不動産情報提供サイトＢ、第三不動産情報提供サイトＣ、第四不動産情報提供サイトＤである場合、これらの総取り扱い商品数が１２物件となるため加入条件を満たすこととなる。
【００５０】
次いで、サーバ装置１の制御部１１は、仲介サービスに加入する全ての不動産情報提供サイトの各物件の広告情報を所定数以上分まとめて広告掲載用サーバ装置５に登録する（ステップＳ４）。この登録時には、制御部１１は、所定数以上分の商品の広告情報に対して、物件ＩＤを含めるとともに注文ページＰへのリンクを付与するように広告掲載用サーバ装置５に指示を与えている。
【００５１】
広告掲載用サーバ装置５は、この登録に基づいて各物件の広告を作成し、記憶部５４に記憶する。具体的には、各物件の広告に対して注文ページＰへのリンクを付与したオブジェクトを作成している。また、広告掲載用サーバ装置５は、登録された各物件の商品情報を基に、類似する物件を選別する。例えば、図７の場合では、不動産Ａ１と、不動産Ｂ２と、不動産Ｃ１とが類似しているとする。
【００５２】
その後、例えば、端末機器３が第一不動産情報提供サイトＡにアクセスして、不動産Ａ１の商品情報ページａ１が表示されたとする。このとき、商品情報ページに埋め込まれたタグ情報の機能によって、端末機器３のＣｏｏｋｉｅによって発行される端末識別情報と、表示した商品の商品識別情報とが検知されて、広告掲載用サーバ装置５に送信される。このタグ情報の機能によって、広告掲載用サーバ装置５は、登録している広告情報の商品を過去に表示した端末機器３であるか否かを認識することができる。
【００５３】
広告掲載用サーバ装置５は、端末機器３に表示された商品情報ページａ１に含まれるタグ情報の機能によって、不動産Ａ１の商品識別情報を取得するとともに端末機器３の端末識別情報とを取得して、これらを対応付けて記憶部５４に保存させる。その後、制御部５１は、通信先の端末機器３の端末識別情報に対応付けられた商品識別情報に対応する商品（不動産Ａ）の類似商品（不動産Ｂ２及び不動産Ｃ１）を、記憶部５４内の各商品から検索する。
広告掲載用サーバ装置５は、広告掲載サービスに加入しているサイト内の広告掲載枠２０１のモジュールを介して、任意の端末機器３の端末識別情報を取得することができる。広告掲載枠２０１のモジュールが様々なサイトに設けられるので、それらの様々なサイトに対して、広告掲載サービスに申し込んだ複数の不動産情報提供サイトの広告を掲載することができる。
広告掲載用サーバ装置５は、通信先の端末機器３の端末識別情報に基づいて類似商品を検索すると、その端末機器３で表示されているＷｅｂページの広告掲載用モジュールに対して対象商品（不動産Ａ１）の広告や、対象商品に類似する類似商品（不動産Ｂ２及び不動産Ｃ１）の広告を掲載する。例えば、図５の広告掲載枠２０１の場合、例えば広告２１１が対象商品（不動産Ａ１）の広告であり、広告２１２，２１３が類似商品（不動産Ｂ２及び不動産Ｃ１）の広告である。
これにより、端末機器３には、以前ユーザーが閲覧した不動産に類似した不動産の広告が表示されるようになる。
【００５４】
次いで、サーバ装置１の制御部１１は、端末機器３に表示された広告２１１，２１２，２１３が選択されて、その広告のリンクを介してアクセスされたか否かを判断し、アクセスされていない場合はそのまま待機し、アクセスされた場合はステップＳ６に移行する（ステップＳ５）。
【００５５】
次いで、サーバ装置１の制御部１１は、選択された広告（本実施形態では広告２１２が選択されたと仮定する。）に設定されたリンクに基づく端末機器３のアクセスによって、対象である物件の注文ページＰを端末機器３に表示させる（ステップＳ６）。具体的には、端末機器３に表示された広告２１２がユーザーによって選択されると、当該広告２１２に付与されたリンクを基に制御部１１が端末機器３の表示内容を注文ページＰに遷移させる。この遷移時においては、その広告２１２に設定された物件ＩＤがサーバ装置１の制御部１１に通知されている。そして、制御部１１は、選択された広告に対応する物件の資料請求が行われるように、物件ＩＤを基にして注文ボタンＰ１のリンク先を調整している。
【００５６】
次いで、サーバ装置１の制御部１１は、注文ページＰの注文ボタンＰ１が選択されたか否かを判断し、選択されない場合は広告表示処理を終了し、選択された場合はステップＳ８に移行する（ステップＳ７）。
【００５７】
ここで、サーバ装置１の制御部１１は、端末機器３の表示内容を、選択された広告２１２の商品である不動産Ｂの商品情報ページとする。上述したように商品情報ページ内には、資料請求ページがリンクされているので、そのリンクを選択すれば端末機器３の表示内容が資料請求ページに遷移することになる。つまり、注文ボタンＰ１が選択されると、端末機器３の表示内容が不動産情報提供サイトの商品情報ページに遷移して資料請求可能な状態となる。
【００５８】
［３．効果］
以上のように、本実施形態によれば、サーバ装置１の制御部１１が複数のＥＣサイトの商品情報を所定数分以上まとめて広告掲載用サーバ装置５に登録するので、総取り扱い商品数が所定数未満のＥＣサイトに対しても、リターゲティング広告を用いた広告掲載サービスを使用することが可能となる。
また、サーバ装置１は、広告掲載サービスへの代理の登録を請け負う仲介サービスによって、複数の不動産情報提供サイトから不動産の広告情報を収集することができるので、取扱い数の少ない不動産情報を多く集めて、掲載することも可能となる。また、様々な業者の不動産情報を取りまとめて掲載することで、ユーザーに多くの不動産の広告情報を提供することができるため、資料請求などの確率を向上させることができる。
また、広告掲載用サーバ装置５の広告掲載枠２０１によって端末機器３に表示された他のＷｅｂページ上の広告２１２が選択されると、サーバ装置１の制御部１１が注文ページＰを端末機器３に表示させるので、ユーザーが商品とは関係のないＷｅｂページを閲覧していても、広告２１１，２１２，２１３を目にすることになる。したがって、その商品に対する興味を継続させることができる。そして、気になる商品の広告２１２が表示されて、ユーザーがその広告２１２を選択すると、端末機器３の表示内容が注文ページＰに遷移するため、不動産情報提供サイトの商品情報ページに誘導することも可能となる。
【００５９】
また、商品の申し込みに関する注文が不動産の資料請求であるので、不動産のように高価ですぐさま購入に結びつくことのない商品であっても、多くの不動産情報を提供することで、購入のきっかけとなる資料請求の機会をユーザーに提供することができる。
【００６０】
［４．その他］
なお、本発明は上記実施形態に限らず適宜変更可能である。
例えば、本実施形態では、取り扱う商品の一例として不動産を例示して説明しているが、これに限定されるものでないことはもちろんである。例えば一つのＥＣサイトでの取扱商品が少ないことが想定される商品であれば如何様でもよい。具体的には、貴金属、アクセサリー、芸術品、自動車、バイク、保険などが挙げられる。
【００６１】
また、本実施形態では、広告２１２を選択することにより不動産の資料請求が注文可能な注文ページＰが表示される場合を例示して説明しているが、商品の申し込みに関する所定のページが表示されるのであればそのページの内容は如何なるものでもよい。注文ページＰ以外の所定のページとしては、商品を直接購入可能な商品購入ページや、商品の購入に関する面談予約が申し込まれる面談予約ページ、或いは商品情報ページなどが挙げられる。
なおこれらの所定のページの情報は、上述したようにサーバ装置１に記憶される以外にも、ＥＣサイトサーバ装置４に記憶されていてもよい。この場合、サーバ装置１の制御部１１は、上述した登録時に、ＥＣサイトサーバ装置４にある所定のページへのリンクを各商品の広告に付与するように広告掲載用サーバ装置５に指示を与えることになる。
【００６２】
また、端末機器３に表示された類似商品の広告が選択された場合には、図８に示すように、注文ページＰ１０上に類似商品の申し込みに関する申し込み欄（注文ボタンＰ１１）と、前記対象商品（ユーザーが過去に閲覧した商品）の申し込みに関する申し込み欄（注文ボタンＰ１２）とを表示するようにしてもよい。具体的には、広告に、類似商品の物件ＩＤに加えて対象商品の物件ＩＤが設定される。そのリンク先は、類似商品の広告に対応する商品の商品情報ページへの注文ボタンＰ１１と、対象商品、つまり、ユーザーによって以前閲覧された商品に対応する商品情報ページ（不動産Ａ１の商品情報ページ）への注文ボタンＰ１２となっている。このため、注文ボタンＰ１２には「以前閲覧した物件の資料請求へ」と記載されている。
このように、ユーザーが今回興味を持った物件の資料請求をする際に、以前閲覧した物件の資料請求もユーザーに対して促すことができるので、より多くの資料請求の機会をユーザーに提供することができる。
【００６３】
なお、上記実施形態では、複数のＥＣサイトで取り扱われている商品から類似商品を検索している場合を例示して説明しているが、商品識別情報に対応付けられた商品を取り扱う一つのＥＣサイトで取り扱われている商品から類似商品を検索するようにしてもよい。この場合、広告に設定された物件ＩＤを有するＥＣサイトの広告情報の中から類似検索を行う。これにより、一つのＥＣサイトで取り扱われている商品の広告が優先して表示されることになり、ユーザーを一つのＥＣサイトに誘導することができる。
【００６４】
また、注文ページＰへのリンクが付与されて端末機器３に表示された広告が選択され注文ページＰが表示された場合に、サーバ装置１の制御部１１がＥＣサイトに対して課金することも可能である。サーバ装置１は、注文ページＰへのアクセスを検知することによって、該注文ページＰに対応した商品を扱うＥＣサイトへの課金を行う。この場合、制御部１１が本発明に係る課金手段となる。
これにより、注文ページＰにユーザーを誘導できたことの成果を課金としてＥＣサイトから徴収することができる。
さらに、注文ページＰを介して商品の申し込みが行われた場合に、制御部１１がＥＣサイトに対して課金するようにしてもよい。
これにより、注文ページＰを介して申し込みが行われたことの成果を課金としてＥＣサイトから徴収することができる。
【符号の説明】
【００６５】
１      サーバ装置（情報提供装置）
２      基地局
３      端末機器（ユーザ端末）
４      ＥＣサイトサーバ装置
５      広告掲載用サーバ装置（広告掲載装置）
１１      制御部（受付手段、タグ埋込手段、登録手段、課金手段）
１２      操作部
１３      表示部
１４      記憶部（受付手段）
１００      ネットワークシステム（情報提供システム）
２００      トップページ
２０１      広告掲載枠
２１１，２１２，２１３    広告
Ｐ      注文ページ（所定のページ）
Ｐ１    注文ボタン
Ｐ１１  注文ボタン（申し込み欄）
Ｐ１２  注文ボタン（申し込み欄）
【図１】
0005913399.tif 000002
【図２】
0005913399.tif 000003
【図３】
0005913399.tif 000004
【図４】
0005913399.tif 000005
【図５】
0005913399.tif 000006
【図６】
0005913399.tif 000007
【図７】
0005913399.tif 000008
【図８】
0005913399.tif 000009